(57)【特許請求の範囲】
【請求項１】
被計測者の眼球の前眼房を横切るように光を出射する出射手段と、
前記出射手段から出射され前記前眼房を横切った光を受光する受光手段と、
前記眼球の目頭周辺または目尻周辺の皮膚を当該眼球が収容された眼窩内に押し込んだ位置に、前記出射手段および前記受光手段のいずれか一方を位置決めする位置決め手段と、
前記位置決めにともない前記眼球の露出した領域が狭くなることを抑制する抑制手段とを備える、光計測装置。
【請求項２】
前記位置決め手段は、前記出射手段および前記受光手段のうちの前記一方は、前記目頭周辺の皮膚または前記目尻周辺の皮膚を前記眼窩内に押し込む押込部を備えることを特徴とする請求項１記載の光計測装置。
【請求項３】
前記抑制手段は、被計測者の上眼瞼を抑える上眼瞼抑え部と、被計測者の下眼瞼を抑える下眼瞼抑え部とを備えることを特徴とする請求項１または２記載の光計測装置。
【請求項４】
前記上眼瞼抑え部および前記下眼瞼抑え部は、互いに離間する向きに移動することを特徴とする請求項３記載の光計測装置。
【発明の詳細な説明】
【技術分野】
【０００１】
本発明は、光計測装置に関する。
【背景技術】
【０００２】
特許文献１には、所定の位置に予め配された眼球に光を照射する光源装置と、光源装置から出射された光に照射された眼球の角膜と空気との境界面による第１の後方散乱光の強度および角膜と前眼房との境界面による第２の後方散乱光の強度をそれぞれ検出する光検出器と、第１および第２の後方散乱光の強度に基づいて、前眼房内を満たす眼房水の屈折率を求める屈折率算出手段と、眼房水の屈折率と眼房水中のグルコース濃度との対応関係が予め記憶された記憶部と、記憶部に記憶された対応関係、および屈折率算出手段により求められた眼房水の屈折率に基づいて、眼房水中のグルコース濃度を求めるグルコース濃度算出手段とを備えたことを特徴とするグルコース濃度測定装置が記載されている。
【０００３】
特許文献２には、濃度未知の旋光性物質以外の妨害旋光性物質によって発現する旋光角範囲が既知である尿の旋光角を測定し、前記旋光性物質の濃度Ｃ［ｋｇ／ｄｌ］を（Ａ−Ａｈ）／（α×Ｌ）≦Ｃ≦（Ａ−Ａｌ）／（α×Ｌ）
但し、Ａ：測定された尿の旋光角［ｄｅｇ］
Ａｈ：妨害旋光性物質によって発現する旋光角の最大値［ｄｅｇ］
Ａｌ：妨害旋光性物質によって発現する旋光角の最小値［ｄｅｇ］
α：旋光性物質の比旋光度［ｄｅｇ／ｃｍ・ｄｌ／ｋｇ］
Ｌ：測定光路長［ｃｍ］
の範囲であると判定する尿検査方法が記載されている。
【先行技術文献】
【特許文献】
【０００４】
【特許文献１】特許第３５４３９２３号公報
【特許文献２】特開平０９−１３８２３１号公報
【発明の概要】
【発明が解決しようとする課題】
【０００５】
ところで、眼球の眼房水中のグルコース濃度を光学的に計測する場合などにおいては、眼球の目頭側と目尻側に出射手段および受光手段を配置し、出射手段から前眼房を横切るように光を照射し、前眼房を横切った光を受光手段で受光する光路で計測することが考えられる。
この場合、眼球の角膜と空気との屈折率差によって決まる屈折方向を考慮して、目頭周辺または目尻周辺の皮膚を眼球が収容された眼窩内に押し込んだ位置に、出射手段または受光手段を位置決めすることが考えられる。
ここで、目頭周辺または目尻周辺の皮膚を眼窩内に押し込むと、押し込みに伴い瞼が閉じる方向に応力を受け、眼球の露出した領域が狭くなることで、前眼房を横切る光路が制限される場合がある。
【０００６】
そこで、本発明では、被計測者の眼球の前眼房を横切るように光を出射し、前眼房を横切った光を受光する光計測において、目頭周辺または目尻周辺の皮膚を眼窩内に押し込むだけの構成と比較し、前記眼球の露出した領域が狭くなることを抑制することを目的とする。
【課題を解決するための手段】
【０００７】
請求項１に記載の発明は、被計測者の眼球の前眼房を横切るように光を出射する出射手段と、前記出射手段から出射され前記前眼房を横切った光を受光する受光手段と、前記眼球の目頭周辺または目尻周辺の皮膚を当該眼球が収容された眼窩内に押し込んだ位置に、前記出射手段および前記受光手段のいずれか一方を位置決めする位置決め手段と、前記位置決めにともない前記眼球の露出した領域が狭くなることを抑制する抑制手段とを備える、光計測装置である。
請求項２に記載の発明は、前記位置決め手段は、前記出射手段および前記受光手段のうちの前記一方は、前記目頭周辺の皮膚または前記目尻周辺の皮膚を前記眼窩内に押し込む押込部を備えることを特徴とする請求項１記載の光計測装置である。
請求項３に記載の発明は、前記抑制手段は、被計測者の上眼瞼を抑える上眼瞼抑え部と、被計測者の下眼瞼を抑える下眼瞼抑え部とを備えることを特徴とする請求項１または２記載の光計測装置である。
請求項４に記載の発明は、前記上眼瞼抑え部および前記下眼瞼抑え部は、互いに離間する向きに移動することを特徴とする請求項３項記載の光計測装置である。
【発明の効果】
【０００８】
請求項１の発明によれば、目頭周辺または目尻周辺の皮膚を眼窩内に押し込むだけの構成と比較し、眼球の露出した領域が狭くなることを抑制する光計測装置を提供することができる。
請求項２の発明によれば、皮膚の押し込みと、出射手段または受光手段の位置決めとを同時にできる。
請求項３の発明によれば、上眼瞼抑え部および下眼瞼抑え部の一方のみを有する構成と比較し、眼球の露出した領域が狭くなることが抑制される。
請求項４の発明によれば、互いに離間する向きに移動しない構成と比較し、瞼がより大きく開かれる。
【図面の簡単な説明】
【０００９】
【図１】本実施の形態が適用される光計測装置の構成の一例を示す図である。
【図２】光計測装置によって、前眼房における眼房水に含まれる光学活性物質による偏光面の回転角を計測する方法を説明する図である。
【図３】（ａ）および（ｂ）は、瞼抑え部および目頭押込部の概略の構成を説明する図である。
【図４】（ａ）乃至（ｄ）は、瞼抑え部の詳細な構成を説明する図である。
【図５】（ａ）および（ｂ）は、上眼瞼抑え部の詳細な構成を説明する図である。
【図６】瞼抑え部および目頭押込部の作用を説明する図である。
【図７】（ａ）および（ｂ）は、光計測装置の配置を説明する図である。
【図８】（ａ）および（ｂ）は、他の実施形態における光計測装置の構成を説明する図である。
【図９】他の実施形態における光計測装置の構成を説明する図である。
【発明を実施するための形態】
【００１０】
以下、添付図面を参照して、本発明の実施の形態について説明する。
（光計測装置１）
図１は、本実施の形態が適用される光計測装置１の構成の一例を示す図である。光計測装置１は、被計測者が自らの手で光計測装置１を手で保持して、自ら眼球１０（眼球１０周辺）に装着（適用）することで計測を行える形状をしている。なお、図１に示す眼球１０は左目である。
この光計測装置１は、被計測者の眼球１０の前眼房１３における眼房水の特性の計測に用いる光学系２０、被計測者の視線を誘導する表示を行う表示部３０、光学系２０と表示部３０とを制御する制御部４０、光学系２０と表示部３０と制御部４０とを保持する保持部５０、光学系２０を用いて計測されたデータに基づいて眼房水の特性を算出する算出部６０、被計測者の瞼に接触し瞼を抑える瞼抑え部７０、および被計測者の瞼の目頭側を押し込む目頭押込部８０を備える。
【００１１】
なお、以下の説明において、図１に示す光計測装置１の紙面上側と紙面下側との方向を上下方向と呼ぶことがある。また、図１に示す被計測者の前側と被計測者の後側との方向を前後方向と呼ぶことがある。また、図１に示す光計測装置１の被計測者から見て内側（鼻側、目頭側）と外側（耳側、目尻側）との方向を内外方向と呼ぶことがある。
また、本実施の形態が適用される光計測装置１が測定する眼房水の特性とは、眼房水に含まれる光学活性物質による直線偏光の偏光面の回転角（旋光度αＭ）、円偏光に対する吸色度（円二色性）などをいう。なお、直線偏光の偏光面とは、直線偏光において電界が振動する面をいう。
【００１２】
さて、光学系２０は、眼球１０の前眼房１３に照射する光を発光する発光系２１と、前眼房１３を通過した光を受光する受光系２３とを備える。
【００１３】
まず、発光系２１は、発光部２５、偏光子２７、第１ミラー２９を備えている。
発光部２５は、発光ダイオード（ＬＥＤ）やランプのような波長幅が広い光源であってもよく、レーザのような波長幅が狭い光源であってもよい。なお、発光部２５の波長幅は狭い方が好ましい。また、発光部２５は、２以上の波長の光を出射するものであってもよい。
偏光子２７は、例えば、ニコルプリズムなどであって、入射した光から、予め定められた偏光面の直線偏光を通過させる。
出射手段の一例である第１ミラー２９は、光路２８を折り曲げるものであって、反射の前後において直線偏光をそのまま維持するものが好ましい。なお、光路２８を折り曲げる必要がない場合は、第１ミラー２９を備えなくともよい。
【００１４】
次に、受光系２３は、第２ミラー３１、補償子３２、検光子３３、受光部３５を備えている。
受光手段の一例である第２ミラー３１は、第１ミラー２９と同様に構成され、光路２８を折り曲げるものであって、反射の前後において直線偏光をそのまま維持するものが好ましい。なお、光路２８を折り曲げる必要がない場合は、第２ミラー３１を備えなくともよい。
補償子３２は、例えばガーネット等を用いたファラデー素子などの磁気光学素子であって、磁場によって直線偏光の偏光面を回転させる。
検光子３３は、偏光子２７と同様の部材であって、予め定められた偏光面の直線偏光を通過させる。
受光部３５は、シリコンダイオードなどの受光素子であって、光の強度に対応した出力信号を出力する。
【００１５】
表示部３０は、電子的に画像を表示するディスプレイを有し、被計測者が目視できる目印（ターゲット）３９を表示して、眼球１０の向き（視線）を予め定めた方向に誘導する。なお、表示部３０は、算出部６０によって算出された眼房水の特性（光学活性物質の濃度など）など、予め定めた情報の画像を表示する。
【００１６】
制御部４０は、光学系２０における発光部２５、補償子３２、受光部３５などを制御して、眼房水の特性に関する計測データを得る。また、制御部４０は、表示部３０に目印３９を表示させる。
保持部５０は、光学系２０および制御部４０を保持する略円筒状の筺体であり、被計測者が保持部５０を自分の手で保持して、自分の眼球１０に装着できる形状をしている。なお、図１に示す保持部５０は、円筒を軸方向と平行な面で切断した形状として示しているが、これは、光学系２０を見やすくするためである。また、保持部５０の形状は、他の形状であってもよく、例えば、断面が四辺形や楕円の筒状であってもよい。また、筒状の筐体において、装着する側と反対側の底面は開放されていてもよいし、他の部材でふさがれていてもよい。
算出部６０は、制御部４０から計測データを受信し、眼房水の特性を算出する。
【００１７】
抑制手段の一例である瞼抑え部７０は、保持部５０に設けられるとともに、瞼（上眼瞼１８、下眼瞼１９、後述する図３（ｂ）参照）に接触させることで瞼を抑え、瞼を開いた状態で維持する。この瞼抑え部７０の構成については、後述する。
押込部の一例である目頭押込部８０は、保持部５０に設けられるとともに、瞼を奥側に向けて押しこむ。この目頭押込部８０の構成については、後述する。
【００１８】
（眼房水の計測）
次に、光計測装置１を用いて、前眼房１３における眼房水を計測し、眼房水のグルコース濃度の算出する例を説明する。
糖尿病患者は、血液内のグルコース濃度により、投与するインスリンの量が制御される。よって、糖尿病患者には、血液内のグルコース濃度を常に把握することが求められる。そして、血液中のグルコース濃度の計測としては、指先などを注射針で穿刺し、微量な血液を採取する方法がある。しかし、この方法においては、微量の血液であっても採血時には痛みを感じ、精神的な負担を伴う。そこで、穿刺などの侵襲式検査法に代わる、非侵襲式検査法の要求が高まっている。
【００１９】
ここで、血清とほぼ同じ成分である前眼房１３における眼房水には、タンパク質、グルコース、アスコルビン酸等が含まれている。そして、血液中のグルコース濃度と眼房水中のグルコース濃度とには、相関関係があることが知られている。さらに、眼房水中には、一般的に、血液中の細胞物質が存在せず、光散乱の影響が小さい。そして、眼房水に含まれるタンパク質、グルコース、アスコルビン酸等は、光学活性物質であり、旋光性を有する。
そこで、本実施の形態が適用される光計測装置１においては、この眼房水を利用しながら、旋光性を備えるグルコースなどの濃度を光学的に計測する。
【００２０】
（光路設定）
さて、眼房水に含まれるグルコースなどの光学活性物質の濃度などを光学的に計測する手法において、設定することのできる光路としては、以下の２つがある。
１つは、図１に示す構成とは異なり、眼球１０に対して垂直に近い角度、すなわち前後方向に沿って光を入射させ、角膜１４（図６参照）と眼房水との界面又は眼房水と水晶体１２との界面で光を反射させ、反射した光を受光（検出）する光路である。もう１つは、図１に示す構成のように、前後方向と交差する角度、具体的には眼球１０に対して平行に近い角度で光を入射させ、前眼房１３における眼房水を通過した光を受光（検出）する光路である。
【００２１】
前者のように、眼球１０に対して垂直に近い角度で光を入射させる光路は、網膜１６（図６参照）に光が達するおそれがある。特に、発光部２５に、コヒーレント性が高いレーザを用いる場合、網膜１６に光が達することは好ましくない。
これに対し、後者のように、眼球１０に対して平行に近い角度で光を入射させる光路２８では、角膜１４を通して前眼房１３を横切るように光を通過させ、眼房水を通過した光を受光（検出）する。このため、光が網膜１６に達することが抑制される。
【００２２】
（光学活性物質の濃度算出）
図２は、光計測装置１によって、前眼房１３における眼房水に含まれる光学活性物質による偏光面の回転角（旋光度）を計測する方法を説明する図である。ここでは、説明を容易にするため、光路２８を折り曲げていない（直線である）構成として、第１ミラー２９および第２ミラー３１の記載を省略している。
また、図２に示す発光部２５、偏光子２７、前眼房１３、補償子３２、検光子３３、および受光部３５のそれぞれの間において、光の進行方向から見た偏光の様子を円内の矢印で示している。
【００２３】
発光部２５は、ランダムな偏光面を持つ光を出射する。そして、偏光子２７は、予め定められた偏光面の直線偏光を通過させる。図２においては、例として、紙面に対して平行な偏光面の直線偏光が通過する。
偏光子２７を通過した直線偏光は、前眼房１３における眼房水に含まれる光学活性物質により、偏光面が回転する。図２では、偏光面は角度αＭ（旋光度αＭ）回転する。
【００２４】
次に、補償子３２に磁界を印加することで、前眼房１３における眼房水に含まれる光学活性物質により回転した偏光面を元に戻す。
そして、検光子３３を通過した直線偏光を受光部３５により受光し、光の強度に対応した出力信号に変換する。
【００２５】
ここで、光学系２０による旋光度αＭの計測方法の一例を説明する。
まず、発光部２５を出射した光が前眼房１３を通過させない状態において、発光部２５、偏光子２７、補償子３２、検光子３３、および受光部３５を含む光学系２０を用いながら、受光部３５による出力信号が最小になるよう、補償子３２および検光子３３を設定する。図２に示す例において、光が前眼房１３を通過させない状態では、偏光子２７を通過した直線偏光の偏光面が、検光子３３を通過する偏光面と直交している。
【００２６】
次に、光が前眼房１３を通過する状態とする。すると、前眼房１３における眼房水に含まれる光学活性物質によって、偏光面が回転する。このため、受光部３５からの出力信号は、最小値から外れる。そこで、受光部３５からの出力信号が最小になるように、補償子３２に印加する磁場を設定する。すなわち、補償子３２により偏光面を回転させ、検光子３３を通過する偏光面と直交させる。
この補償子３２によって回転させた偏光面の角度が、眼房水に含まれる光学活性物質によって発生した旋光度αＭに対応する。ここで、補償子３２に印加した磁場の大きさと回転した偏光面の角度との関係は、事前に知られている。したがって、補償子３２に印加した磁場の大きさから、旋光度αＭが分かる。
【００２７】
具体的には、発光部２５から前眼房１３における眼房水に複数の波長λ（波長λ１、λ２、λ３、…）の光を入射し、それぞれに対して旋光度αＭ（旋光度αＭ１、αＭ２、αＭ３、…）を求める。これらの波長λと旋光度αＭとの組が、算出部６０に取り込まれ、求めたい光学活性物質の濃度が算出される。
なお、算出部６０により算出された光学活性物質の濃度は、光計測装置１が備える表示部３０に表示してもよいし、光計測装置１が備える出力手段（不図示）を介してＰＣ（Personal Computer）などの他の端末装置（不図示）に出力してもよい。
【００２８】
付言すると、眼房水には、前述したように複数の光学活性物質が含まれている。よって、計測された旋光度αＭは、複数の光学活性物質それぞれによる旋光度αＭの和である。そこで、計測された旋光度αＭから、求めたい光学活性物質の濃度を算出することが必要となる。求めたい光学活性物質の濃度の算出は、例えば、特開平０９−１３８２３１号公報（上記特許文献２）に開示されているような公知の方法を用いればよいので、ここでは説明を省略する。
【００２９】
また、図２では、偏光子２７の偏光面と検光子３３を通過する前の偏光面が共に、紙面に平行であるとしている。しかし、補償子３２によって予め偏光面が回転する場合には、検光子３３を通過する前の偏光面が紙面に平行な面から傾いていてもよい。すなわち、光が前眼房１３における眼房水を通過しない状態において、受光部３５の出力信号が最小になるように、補償子３２と検光子３３とを設定すればよい。
【００３０】
また、ここでは旋光度αＭを求める方法として補償子３２を用いた例を述べたが、補償子３２以外で旋光度αＭを求めてもよい。さらに、ここでは偏光面の回転角（旋光度αＭ）を測定する最も基本的な測定法である直交偏光子法（ただし補償子３２を使用）について示したが、回転検光子法やファラデー変調法、光学遅延変調法といった他の測定方法を適用してもよい。
【００３１】
（瞼抑え部７０および目頭押込部８０の構造）
図３（ａ）および（ｂ）は、瞼抑え部７０および目頭押込部８０の概略の構成を説明する図である。より具体的には、図３（ａ）は光計測装置１を後側からみた斜視図であり、図３（ｂ）は瞼抑え部７０および目頭押込部８０と、被計測者の瞼との位置関係を説明する図である。
【００３２】
また、図４（ａ）乃至（ｃ）は、瞼抑え部７０の詳細な構成を説明する図である。より具体的には、図４（ａ）は上眼瞼抑え部７１の上面図、図４（ｂ）は上眼瞼抑え部７１の正面図、図４（ｃ）は上眼瞼抑え部７１の側面図、図４（ｄ）は図４（ｂ）の線ＩＶｄ−ＩＶｄにおける断面図である。
【００３３】
また、図５（ａ）および（ｂ）は、上眼瞼抑え部７１の詳細な構成を説明する図である。より具体的には、図５（ａ）は図３（ａ）における矢印Ｖａからみた目頭押込部８０周辺の構成図であり、図５（ｂ）は図３（ａ）における矢印Ｖｂからみた目頭押込部８０周辺の構成図である。
【００３４】
次に、図３乃至図５を参照しながら、発光系２１および受光系２３の配置、並びに瞼抑え部７０および目頭押込部８０について説明をする。
まず、光計測装置１によって眼房水を通過した光を検出して、グルコースなどの濃度を測定する際には、例えば、光が意図しない方向に屈折することや、被計測者の瞼などによって遮られることがない、適切な光路２８を確保することが必要である。ここで、被計測者の瞼によって光路２８が遮られないようにする構成として、正面から見た場合に眼球１０の白目（強膜）部分と重なる領域ＰａおよびＰｂに発光系２１および受光系２３を配置する構成が考えられる。しかしながら、この構成では、発光系２１や受光系２３が眼球１０の奥側（後側）に位置ずれした場合に、発光系２１や受光系２３が白目部分に接触する可能性がある。
【００３５】
そこで、本実施の形態における光計測装置１は、発光系２１および受光系２３が前後方向に位置ずれした場合であっても発光系２１および受光系２３が白目部分に接触しないようにするとともに、適切な光路２８が確保されるように構成されている。
具体的には、眼球１０を正面から見た場合に、発光系２１または受光系２３が、図３（ｂ）に示す目頭周辺の皮膚２４Ａまたは目尻周辺の皮膚２４Ｅと重なる位置に位置決めされるように保持部５０が発光系２１および受光系２３を保持している。
また、図３（ａ）に示すように本実施の形態における光計測装置１は、被計測者の瞼を抑える瞼抑え部７０と、被計測者の目頭周辺の皮膚２４Ａを押しこむ目頭押込部８０とを備える。
これらの瞼抑え部７０および目頭押込部８０は、保持部５０の後側の端部に設けられる。ここで、目頭押込部８０は、瞼抑え部７０よりも後側に突出する。さらに説明をすると、図示の例においては、光計測装置１において最も後側に突出する位置に、目頭押込部８０が配置されている。
以下、瞼抑え部７０および目頭押込部８０各々の具体的な構成を順に説明する。
【００３６】
（瞼抑え部７０の構造）
まず、瞼抑え部７０について説明をする。
図３（ａ）に示すように、瞼抑え部７０は、上眼瞼抑え部７１と、下眼瞼抑え部７２とを備える。これらの上眼瞼抑え部７１および下眼瞼抑え部７２は、それぞれ発光系２１および受光系２３よりも上側と下側とにそれぞれ配置されている。言い替えると、光路２８を挟んで、上側瞼抑え部７１と下側瞼抑え部７２とが対峙して設けられる。
この瞼抑え部７０は、被計測者の装着感を向上させるべく、例えば、ケイ素樹脂（シリコーン）など、所謂弾性部材により形成される。
【００３７】
ここで、図３（ａ）に示すように、上側瞼抑え部７１および下側瞼抑え部７２は、保持部５０によって支持される。具体的には、上側瞼抑え部７１および下側瞼抑え部７２は、円筒状の本体５０Ａの後側の端部に固定して設けられ、かつ光路２８に沿って延びる上側支持部５０Ｂおよび下側支持部５０Ｃによってそれぞれ支持される。
付言すると、上側瞼抑え部７１および下側瞼抑え部７２と、発光系２１および受光系２３とを別体として、鼻や睫毛などが存在する眼球１０周辺の限られた空間にそれぞれ個別に配置しようとすると互いの部材間での干渉が発生しやすくなる。そこで、図示の例のように、保持部５０によって一体として支持されることにより、限られた空間における各部材の配置が容易となる。
【００３８】
また、図３（ｂ）に示すように、上眼瞼抑え部７１および下眼瞼抑え部７２は、保持部５０における上眼瞼１８および下眼瞼１９と対峙する位置に設けられている。そして、この上眼瞼抑え部７１および下眼瞼抑え部７２が、上眼瞼１８および下眼瞼１９に押し当てられることにより、上眼瞼１８および下眼瞼１９の移動が制限された状態となる。
【００３９】
次に、図４（ａ）乃至（ｄ）を用いて、上眼瞼抑え部７１および下眼瞼抑え部７２の形状について説明をする。なお、ここでは上眼瞼抑え部７１を用いて説明をするが、上眼瞼抑え部７１および下眼瞼抑え部７２は、上下方向を法線とする平面を基準として互いに対称形である（図３（ｂ）参照）。
まず、図４（ａ）に示すように、上眼瞼抑え部７１は断面が円形（図４（ｄ）参照）の棒状部材（略円柱状の部材）である。また、上眼瞼抑え部７１の瞼に接触する外周面は滑らかに連続した曲面により形成されており、この外周面には角部が形成されていない。
【００４０】
そして、上眼瞼抑え部７１は、上眼瞼１８（図３（ｂ）参照）に沿う形状、すなわち眼球１０（図３（ｂ）参照）に沿って湾曲して設けられる。具体的には、図４（ａ）乃至（ｃ）に示すように、長手方向における中央部が、前側に突出する向きに湾曲し、かつ上側に突出する向きに湾曲している。なお、図３（ａ）に示すように、上眼瞼抑え部７１および下眼瞼抑え部７２は、内外方向における中央側が、互いに離れる向きに湾曲するように配置される。
【００４１】
（目頭押込部８０の構造）
次に、目頭押込部８０について説明をする。
まず、図３（ａ）に示すように、目頭押込部８０は、保持部５０によって支持される。より具体的には、目頭押込部８０は、発光系保持部５０Ｄ（後述）によって保持された発光系２１（第１ミラー２９）に固定されている。ここで、目頭押込部８０および発光系保持部５０Ｄは、瞼抑え部７０とともに、発光系２１および受光系２３を眼球１０に対して位置決めするための位置決め手段の一例である。付言すると、目頭押込部８０、発光系保持部５０Ｄおよび瞼抑え部７０は、光計測装置１が眼球１０に向けて押し当てられた場合に、発光系２１（または受光系２３）が眼球１０に対して所望の配置となるような位置関係で保持部５０によって支持されている。なお、この目頭押込部８０は、被計測者の装着感を向上させるべく、例えば、ケイ素樹脂（シリコーン）など、所謂弾性部材により形成される。言い替えると、目頭押込部８０は、第１ミラー２９あるいは発光系保持部（保持部）５０Ｄよりも柔らかい部材により形成される。
【００４２】
さて、図示の例における発光系保持部５０Ｄは、長手方向が前後方向に沿う略直方体である。この発光系保持部５０Ｄは、発光系２１を構成する光学部材（発光部２５、偏光子２７、第１ミラー２９、図１参照）の各々を保持する部材である。
また、発光系保持部５０Ｄは、上眼瞼抑え部７１および下眼瞼抑え部７２よりも後側に突出する後側の端部（突出部）５０Ｅを有し、この後側の端部５０Ｅに第１ミラー２９が保持される。
【００４３】
そして、この第１ミラー２９の後側の面に、粘着剤（不図示）など周知の固定法により目頭押込部８０が固定される。付言すると、図示の例の第１ミラー２９は、目頭押込部８０を介して被計測者に直接押し当てられる。
ここで、目頭押込部８０は、発光系２１における最も後側に位置する光学部材である第１ミラー２９と、一体となるように設けられている。
【００４４】
このように、目頭押込部８０が、第１ミラー２９に設けられることにより、限られた空間における各部材の配置が容易となる。さらに説明をすると、目頭押込部８０と第１ミラー２９を別体とする構成と比較し、第１ミラー２９をより奥側（後側）に配置しやすくなる。また、目頭押込部８０と第１ミラー２９を別体とする構成と比較し、第１ミラー２９（発光系保持部５０Ｄ）が鼻と接触し光計測装置１（図３（ａ）参照）の位置決めが妨げられることが抑制される。更には、目頭押込部８０による皮膚の押し込みにともない、第１ミラー２９の位置決めも同時に行われる。
【００４５】
ここで、目頭押込部８０の配置についてさらに説明をする。
図３（ｂ）に示すように、目頭押込部８０は、上下方向において上眼瞼抑え部７１および下眼瞼抑え部７２の間であって、上眼瞼１８および下眼瞼１９の目頭側と対峙する位置に設けられている。ここで、上眼瞼１８および下眼瞼１９の目頭側とは、上眼瞼１８および下眼瞼１９のうち、瞳孔１５よりも内側（鼻側）の部分をいう。また、他の観点からみると、目頭押込部８０は、目頭周辺の皮膚２４Ａの領域に位置決めされる。ここで、「目頭周辺の皮膚」とは、瞳孔１５よりも内側（鼻側）で、後述する眼窩１７に向けて押し込める範囲にある皮膚であって、押し込んだ場合に眼球１０の前側頂部の位置よりも奥側（後側）に押し込める範囲の皮膚をいう。また、「目尻周辺の皮膚」とは、瞳孔１５よりも外側（耳側）に位置する皮膚であって、眼窩１７に向けて押し込める範囲にある皮膚と押し込めない範囲にある皮膚の両方を含む。
【００４６】
さらに説明をすると、目頭押込部８０は、一例として、上眼瞼１８および下眼瞼１９の目頭側であって、眼窩１７の内周面１７Ａよりも眼球１０側（外側）の領域に位置決めされる。他の観点からみると、目頭押込部８０は、眼球１０の上下方向において、内眼角（目頭）１８Ａと実質的に同じ位置（高さ）にある目頭周辺の皮膚２４Ｂに接触するように位置決めされる。眼球１０の上下方向における内眼角（目頭）１８Ａの位置は、目頭周辺の皮膚２４Ａ内において皮膚が最も後側（眼球１０の奥側）に位置する部分であり、他の位置に位置決めする場合と比較し、皮膚を押し込む量が低減される。なお、内眼角１８Ａと実質的に同じ位置（高さ）とは、眼球１０の上下方向において、内眼角１８Ａの位置の±１ｍｍの範囲をいう。
【００４７】
一方、上下方向における内眼角１８Ａの位置においては、内眼角１８Ａと眼窩１７の内周面１７Ａとの距離が最も近くなるため、目頭押込部８０の形状によっては、位置決めする領域が確保しづらい場合がある。このような場合は、内眼角１８Ａの位置よりも上下にずれた位置（例えば、上側位置２４Ｃまたは下側位置２４Ｄ）に目頭押込部８０の先端が接触するように位置決めしてもよい。内眼角１８Ａの位置から上下方向にずれるに従い、内眼角１８Ａと眼窩１７の内周面１７Ａとの距離が離れるため、目頭押込部８０を位置決めできる領域が広くなる。
【００４８】
なお、目頭周辺の皮膚２４Ａの領域におけるどこに位置決めするかは常に一定である必要はない。例えば、被計測者の眼球１０周辺の形状、目頭押込部８０の形状、および位置決め精度等を考慮して、被計測者ごとに光路２８が確保しやすい位置に位置決めされるよう光計測装置１を構成してもよい。
また、詳細は後述するが、目頭押込部８０が、目頭周辺の皮膚２４Ａに押し当てられることにより、目頭周辺の皮膚２４Ａが、眼窩１７の奥側（後側）に押し込まれる。
【００４９】
次に、図５（ａ）および（ｂ）を用いて、目頭押込部８０の形状について説明をする。
図５（ａ）および（ｂ）に示すように、目頭押込部８０は略半球状の部材である。言い替えると、目頭押込部８０は後側に突出する凸部８０Ａを備える。また、目頭押込部８０は第１ミラー２９（図３（ａ）参照）に接触する側（前側）に、第１ミラー２９の外形に沿う凹部８０Ｂを備える。
なお、凸部８０Ａは、瞼に接触する部分である。図示の例における凸部８０Ａは、滑らかに連続した曲面（湾曲面）により形成されており、角部を有しない。
【００５０】
（瞼抑え部７０および目頭押込部８０の作用）
図６は、瞼抑え部７０および目頭押込部８０の作用を説明する図である。なお、図６においては、眼球１０の上下方向の中心位置での断面を被計測者の頭側（上側）から見た状態を示している。
【００５１】
次に、図３および図５を参照しながら、瞼抑え部７０および目頭押込部８０の作用について説明をする。
なお、ここでは説明の都合上、眼球１０および眼球周辺の構造について説明し、眼球１０と光路２８との位置関係を説明した後で、瞼抑え部７０および目頭押込部８０の具体的な作用について説明をする。
【００５２】
（眼球１０および眼球１０周辺の構造）
まず、眼球１０および眼球１０周辺の構造について説明をする。
図６に示すように、眼球１０は、外形がほぼ球形であって、中央にガラス体１１がある。そして、レンズの役割をする水晶体１２が、ガラス体１１の一部に埋め込まれている。水晶体１２の前側には、前眼房１３があり、さらにその前側に角膜１４がある。水晶体１２の周辺部は虹彩に囲まれ、その中心が瞳孔１５である。水晶体１２に接する部分を除いて、ガラス体１１は、網膜１６で覆われている。
【００５３】
前眼房１３は、角膜１４と水晶体１２とで囲まれた領域であって、眼球１０の球形からは、凸状に飛び出した領域である。この前眼房１３は、正面から見た形状が円形である。そして、前眼房１３は、眼房水で満たされている。
この眼球１０は、頭蓋骨のくぼみ（凹部）である眼窩１７内に収容されている。また、眼球１０は、瞼（上眼瞼１８および下眼瞼１９）によって覆われる。
【００５４】
ここで、本実施形態における眼窩１７とは、図６に示すとおり、皮膚の表面に対して頭蓋骨（眼窩１７の内周面１７Ａ）が眼球１０の奥側（後側）に向けてくぼみはじめる領域を含む領域１７Ｂをいい、この眼窩１７の領域１７Ｂの目頭側および目尻側においては、皮膚の表面と眼窩１７の内周面１７Ａとの距離が徐々に広がる領域１７Ｃおよび領域１７Ｄが存在する。すなわち、目頭周辺の皮膚２４Ａおよび目尻周辺の皮膚２４Ｅは、眼窩１７の領域１７Ｂにおける目頭側の領域１７Ｃと目尻側の領域１７Ｄにおいて、眼窩１７の領域１７Ｂの範囲外の皮膚よりも眼球１０の奥側に向けて押し込める量が多くなっている。
また、図６に示すとおり、一般的な被計測者においては、目頭周辺の皮膚２４Ａのほうが目尻周辺の皮膚２４Ｅよりも前後方向の前側に位置している。よって、眼球１０が正面を向いた状態（正視状態）で、第１ミラー２９（発光系２１）および第２ミラー３１（受光系２３）を位置決めする場合、被計測者によっては、目頭側の皮膚２４Ａのほうを押し込む必要がある場合がある。
【００５５】
そこで、本実施の形態においては、眼窩１７の領域１７Ｂにおける目頭側の領域１７Ｃが、眼窩１７の領域１７Ｂの範囲外の皮膚よりも眼窩１７の奥側（後側）に向けて押し込める量が多くなっていることを利用し、第１ミラー２９（発光系２１）を眼窩１７に向けて押し込むようにする。言い換えると、眼窩１７の内周面１７Ａと眼球１０との間に向けて目頭周辺の皮膚２４Ａを押し込んだ位置に第１ミラー２９（発光系２１）を位置決めする。このようにすることで、眼球１０が正面を向いた状態（正視状態）で計測する場合に、目頭周辺の皮膚２４Ａによって第１ミラー２９（発光系２１）を配置する空間がない（小さい）場合であっても、目頭周辺の皮膚２４Ａを眼窩１７に押し込むことで、前眼房１３を横切る光路２８を確保している。
【００５６】
（眼球１０と光路２８との位置関係）
次に、眼球１０と光学系２０の光路２８との位置関係を説明する。
図６に示すように、発光系２１から出射された光は、内外方向における外側に向かう向きで、かつ前後方向における前側に向かう向きで、前眼房１３に入射する。また、前眼房１３を通過した光は、内外方向における外側に向かう向きで、かつ前後方向における後側に向かう向きで、受光系２３に入射する。
すなわち、発光系２１が前眼房１３に向けて出射する光が、前後方向における前側に向けて斜めに進むように、発光系２１（第１ミラー２９）は配置されている。さらに言い替えると、第１ミラー２９は、眼球１０の露出部（前眼房１３）の前側頂部よりも、後側（奥側）に配置されている。
また、前眼房１３から前後方向における後側に向けて斜めに進む光を受けるように、受光系２３（第２ミラー３１）は配置されている。さらに言い替えると、第２ミラー３１は、眼球１０の露出部（前眼房１３）の前側頂部よりも、後側に配置されている。
【００５７】
この配置は、次の理由による。すなわち、発光部２５から出射した光は、角膜１４を通過して、前眼房１３に入射する。このとき、角膜１４および前眼房１３における眼房水の屈折率が空気（ｎ＝約１．０）より大きく（ｎ＝約１．３７）、前眼房１３および角膜１４が凸状であるため、光路２８は、後側（眼球１０側）に曲げられる。また、前眼房１３を通過した後においても、光路２８は、さらに後側に曲げられる。そこで、この前眼房１３を通過することにより、後側に曲げられることを踏まえて、発光系２１および受光系２３は配置されている。
【００５８】
また、顔の目（眼球１０）の周囲には、鼻（鼻梁）が位置し、光学系２０を設定するスペースが少ない。さらに、光が前眼房１３から外れると、正確な計測が行えなくなる。よって、光が前眼房１３から外れずに前眼房１３を横切るよう、光路２８が設定されることが好ましい。
【００５９】
また、上記旋光度αＭは、光が前眼房１３における眼房水を通過する長さである光路長の影響を受ける。このことから、光路長がばらつかないように、上述のように光路２８が設定されるとよい。なお、図示の光計測装置１においては、前眼房１３を横切るように光路２８を設定するので、光路長を長く設定することができる。
【００６０】
（瞼抑え部７０および目頭押込部８０の具体的作用）
次に、瞼抑え部７０および目頭押込部８０の作用について具体的に説明をする。
まず、目頭押込部８０を被計測者の瞼（上眼瞼１８および下眼瞼１９）に押し当てることにより、目頭周辺の皮膚２４Ａが奥側（後側）へと押し込まれる。さらに説明をすると、目頭押込部８０は、眼窩１７の内周面１７Ａと、眼球１０との間に向けて目頭周辺の皮膚２４Ａを押し込む。
【００６１】
なお、図６に示すとおり、押し込まれていない状態での目頭周辺の皮膚２４Ａに対して眼球１０が突出する部分の長さ、すなわち眼球１０の目頭周辺の皮膚２４Ａに対する突出度Ｇａは６ｍｍ程度であり、目尻周辺の皮膚２４Ｅに対する突出度Ｇｂは１１ｍｍ〜１２ｍｍ程度である。また、目頭押込部８０によって押し込まれる際の目頭周辺の皮膚２４Ａの移動量Ｇｃは、被計測者が痛みを伴わない条件において、例えば３〜５ｍｍ程度である。すなわち、目頭周辺の皮膚２４Ａを押し込んだ状態における目頭周辺の皮膚２４Ａに対する突出度Ｇａ＋移動量Ｇｃと目尻周辺の皮膚２４Ｅに対する突出度Ｇｂとはほぼ同じとなる。
【００６２】
このように、目頭押込部８０が、目頭周辺の皮膚２４Ａを押し込むことにともない、第１ミラー２９（発光系２１）を配置する空間がより大きく確保される。すなわち、より後側に第１ミラー２９を配置し得る。このことにより、眼球１０が正面を向いた状態（正視状態）であっても、前眼房１３の眼房水を通過する光路２８が確保されやすくなる。言い替えると、上眼瞼１８および下眼瞼１９によって、光路２８が遮られることが抑制される。
【００６３】
さて、瞼抑え部７０（上眼瞼抑え部７１および下眼瞼抑え部７２）を被計測者の瞼（上眼瞼１８および下眼瞼１９）に押し当てることにより、被計測者に装着される光計測装置１（図１参照）の位置が定められる。すなわち、瞼抑え部７０は、目頭押込部８０および発光系保持部５０Ｄ等とともに、眼球１０に対する位置決め手段として機能する。また、瞼抑え部７０が押し当てられることにより、上眼瞼１８および下眼瞼１９が眼球１０に沿って開く方向に応力が働き、上眼瞼１８および下眼瞼１９が開いた状態で維持される。
【００６４】
ここで、目頭周辺の皮膚２４Ａが目頭押込部８０によって押し込まれることにともない、瞼は閉じようとする。言い替えると、目頭押込部８０によって瞼が奥側へ押し込まれることにともない、目頭周辺の皮膚２４Ａと繋がっている瞼には閉じようとする応力が働く。それに対して、瞼が閉じようとすることを瞼抑え部７０が抑制し、瞼が開いた状態が維持される。言い換えると、目頭周辺の皮膚２４Ａを眼窩１７内に向けて押し込むと、押し込みにともない瞼が閉じる方向に動き、眼球１０が皮膚から露出した領域が狭くなることで、前眼房１３の眼房水を通過する光路２８が制限されうる。本実施形態では、瞼抑え部７０が眼球１０の露出した領域が狭くなることを抑制することで、瞼抑え部７０を有さない構成と比較し、前眼房１３の眼房水を通過する光路２８が確保しやすくなっている。なお、「眼球１０の露出した領域が狭くなることを抑制する」とは、発光系２１が光を出射する時点において瞼抑え部７０を有さない構成よりも眼球１０が露出した領域が広い状態となっていることを言い、皮膚が押し込められていない状態よりも眼球１０の露出した領域が広くなっている構成を含む。
【００６５】
（内転計測）
眼球１０を内転させた状態で計測する実施形態について、図７（ａ）および（ｂ）を参照しながら説明する。ここで、図７（ａ）は正視状態で測定した場合の光計測装置１の配置を説明する図であり、図６の顔の形状よりも目尻周辺の皮膚２４Ｅの位置が前後方向の前側に出ている点で図６とは異なる。図７（ｂ）は眼球１０を内転させた状態で計測する場合の光計測装置１の配置を説明する図である。なお、作図の都合上、図７で示す寸法は、図６で示す寸法とは異なっている。
なお、眼球１０を正面から見た場合において、眼球１０（瞳孔１５）が内外方向を基準に上下方向±４５°の範囲内で目頭側（鼻側）に回転することを「内転」といい、眼球１０（瞳孔１５）が内外方向を基準に上下方向±４５°の範囲内で目尻側（耳側）に回転することを「外転」という。ここで、眼球１０が、軸１０Ａを中心として、内側（鼻側）に回転することが「内転」の一例であり、軸１０Ａを中心として外側（耳側）に回転することが「外転」の一例である。
【００６６】
まず、図７（ａ）に示すように、被計測者の顔の形状によっては、図６に示した形状よりも目尻周辺の皮膚２４Ｅが前後方向における前側に突出していることがある。例えば、目頭周辺の皮膚２４Ａと目尻周辺の皮膚２４Ｅの位置が前後方向のほぼ同じ位置である場合、目尻側においても目頭側と同じ程度皮膚を押し込めないと、正視した状態では、前眼房１３の眼房水を通過する光路２８を確保しづらい場合がある。
また、一般的な被計測者は、目頭側よりも目尻側の睫毛の量の方が多い。よって、図６に示した形状のように目尻周辺の皮膚２４Ｅが目頭周辺の皮膚２４Ａよりも前後方向における後側に位置している場合であっても、目尻側の睫毛が障害となり、正視した状態では、前眼房１３の眼房水を通過する光路２８を確保しづらい場合がある。
【００６７】
そこで、図７（ｂ）に示すように、目頭周辺の皮膚２４Ａを押しこむことに加えて、眼球１０を内転させる。このようにすれば、目尻側に配置する受光系２３（第２ミラー３１）の位置が、正視した状態よりも眼球１０の前後方向における前側に配置できるようになる。すなわち、受光系２３（第２ミラー３１）を目尻周辺の皮膚２４Ｅや目尻側の睫毛から前後方向の前側に遠ざけることができるようになる。これにより、目尻周辺の皮膚２４Ｅや目尻側の睫毛によって光路２８が遮られることが抑制され、前眼房１３の眼房水を通過する光路２８が確保しやすくなる。
【００６８】
具体的には、図７（ｂ）に示すように、計測の際に眼球１０を内転させた状態にするために、光計測装置１の表示部３０に目印３９を表示する。具体的には、被計測者が目視した場合に、眼球１０が内転した状態となる位置に目印３９を表示する。このように、表示部３０に目印３９を表示するなどして、視線が目印３９を向くように誘導する。そして、眼球１０が内転し、光路２８が確保された状態で計測が実行される。
【００６９】
なお、図示の例において、第２ミラー３１は第１ミラー２９よりも前側に配置されている。このことにより、受光系２３（第２ミラー３１）が被計測者に接触することが抑制される。付言すると、受光系２３（第２ミラー３１）が押し当てられることが回避され、被計測者の装着感が向上する。
また、ここでは計測の際に表示部３０に目印３９を表示するとしたが、常時目印３９を表示していてもよい。この場合、表示部３０は、電子的に画像を表示するディスプレイでなくともよく、目印３９として機能し得る部材や形状が設けられてもよい。
【００７０】
（他の実施形態１）
図８（ａ）および（ｂ）は、他の実施形態における光計測装置１０１，３０１の構成を説明する図である。より具体的には、図８（ａ）は他の実施形態１における光計測装置１０１の構成を説明する図であり、図８（ｂ）は他の実施形態２における光計測装置３０１の構成を説明する図である。
上述の図１などに示す光計測装置１においては、瞼抑え部７０の位置が固定されている構成を説明したが、これに限定されない。例えば、図８（ａ）に示す光計測装置１０１のように、瞼抑え部７００（上眼瞼抑え部７１０および下眼瞼抑え部７２０）が移動するように構成してもよい。
【００７１】
具体的に説明をすると、図８（ａ）に示す光計測装置１０１は、モータＭ１と、モータＭ１からの駆動力を伝達するギア群７３０と、内外方向に沿って延びる回転軸７１１，７２１と、上眼瞼抑え部７１０および下眼瞼抑え部７２０にそれぞれ接続される連結部材７１３，７２３とを備える。なお、これらのモータＭ１、ギア群７３０、回転軸７１１，７２１、連結部材７１３，７２３は、保持部５００の内側に設けられる。また、光計測装置１０１は、モータＭ１を駆動させる契機となる操作ボタン７４０を備える。
【００７２】
この光計測装置１０１の動作について説明をする。
まず、被計測者の瞼に光計測装置１０１が装着され、上眼瞼抑え部７１０および下眼瞼抑え部７２０が上眼瞼１８および下眼瞼１９（図３（ｂ）参照）に接触する。この状態において、例えば被計測者が操作ボタン７４０を操作することにより、モータＭ１が駆動する。このモータＭ１の駆動に伴い、上眼瞼抑え部７１０および下眼瞼抑え部７２０が互いに離間する向きに移動する（矢印Ｂ１，Ｂ２参照）。このことにより、上眼瞼１８および下眼瞼１９が開かれる。このように、光計測装置１０１においては、モータＭ１を駆動させることで、より確実に瞼を開かせ得る。
【００７３】
（他の実施形態２）
また、図８（ｂ）に示すように、瞼抑え部９００（上眼瞼抑え部９１０および下眼瞼抑え部９２０）が、光計測装置３０１を被計測者に対して押しつける力により移動する構成であってもよい。
【００７４】
具体的に説明をすると、光計測装置３０１は、上眼瞼抑え部９１０を移動させる機構として、以下の構成を備える。すなわち、保持部５１０の後側を覆う切頭円錐状の覆い面５１０Ａと、この覆い面５１０Ａの外周面に沿って設けられかつ長手方向が上下方向に延びる案内溝５１０Ｂとを備える。また、光計測装置３０１は、案内溝５１０Ｂ内で移動可能に設けられるピン状の被案内部９１１と、被案内部９１１と上眼瞼抑え部９１０とを接続する連結部材９１３と、連結部材９１３を付勢するスプリング９３０とを備える。ここで、スプリング９３０は、上眼瞼抑え部９１０および下眼瞼抑え部９２０が互いに接近する向きに、連結部材９１３を付勢する。
なお、図８（ｂ）において図示は省略するが、光計測装置３０１は、上眼瞼抑え部９１０を移動させる機構と同様に、下眼瞼抑え部９２０を移動させる機構を備える。
【００７５】
この光計測装置３０１の動作について説明をする。
まず、被計測者の瞼に光計測装置３０１が装着され、上眼瞼抑え部９１０および下眼瞼抑え部９２０が上眼瞼１８および下眼瞼１９（図３（ｂ）参照）に接触する。
そして、例えば被計測者が、上眼瞼１８および下眼瞼１９に対して光計測装置３０１をさらに押しつける力を加えることにより、スプリング９３０による付勢力に対向しながら、被案内部９１１が案内溝５１０Ｂ内を移動する。このことにより、連結部材９１３に接続された上眼瞼抑え部９１０および下眼瞼抑え部９２０が、互いに離間する向きに移動する（矢印Ｄ１，Ｄ２参照）。その結果、上眼瞼１８および下眼瞼１９が開かれる。
このように、光計測装置３０１においては、駆動源からの駆動力を受けずに、被計測者が光計測装置３０１を上眼瞼１８および下眼瞼１９に押しつける力を利用して、確実に瞼を開かせ得る。
【００７６】
（他の実施形態３）
図９は、他の実施形態における光計測装置５０１の構成を説明する図である。
上述の図１などに示す光計測装置１においては、目頭押込部８０の位置が固定されている構成を説明したが、これに限定されない。例えば、図９に示す光計測装置５０１のように、目頭押込部８０が移動するように構成してもよい。
【００７７】
具体的に説明をすると、図９に示す光計測装置５０１は、被計測者の瞼に接触し瞼を抑える瞼抑え部１７０、被計測者の瞼の目頭側を押しこむ可動押込部１８０、および図１などに示す光計測装置１と同様に被計測者の眼球１０の眼房水の特性の計測に用いる光学系２００を備える。
【００７８】
瞼抑え部１７０は、上眼瞼抑え部１７１と、下眼瞼抑え部１７２と、これらの上眼瞼抑え部１７１および下眼瞼抑え部１７２を保持する保持部材１７５と、保持部材１７５を支持する支持部材１７７と、支持部材１７７を支持する基部１７９とを備える。
また、可動押込部１８０は、図１などに示す光計測装置１と同様に被計測者の目頭周辺の皮膚２４Ａを押し込む目頭押込部１８１と、目頭押込部１８１が設けられ前後方向に移動する移動部１８３と、移動部１８３をスライド可能に支持するスライド支持部１８５とを備える。なお、この例における移動部１８３は、モータ（不図示）からの駆動を受けて前後方向に移動する。また、スライド支持部１８５は、基部１７９に対して固定される。
また、この例における光学系２００は、可動押込部１８０の移動部１８３に対して固定される。そして、この光学系２００は、移動部１８３とともに前後方向に移動する。
【００７９】
次に、この光計測装置５０１の動作について説明をする。
まず、光計測装置５０１は、作業台１９０などに固定して設けられる。そして、光計測装置５０１の上眼瞼抑え部１７１および下眼瞼抑え部１７２に被計測者の瞼が接触する位置で、被計測者が光計測装置５０１に対して顔を押し当てる。この状態において、例えば操作ボタン（不図示）を操作することにより、モータ（不図示）が駆動する。
【００８０】
このモータの駆動に伴い、スライド支持部１８５が前後方向における後側に移動する（矢印Ｆ１参照）。このことにより、スライド支持部１８５の先端に取り付けられた目頭押込部１８１が、被計測者の瞼における目頭側を、前後方向における後側に押し込む。その結果、眼房水を通過する光路２８（図１参照）がより確実に確保される。この状態において、光学系２００により、眼球１０の眼房水の特性の計測が実行される。
【００８１】
なお、ここでは、光学系２００を、可動押込部１８０の移動部１８３に対して固定することを説明したが、これに限定されない。例えば、可動押込部１８０の移動部１８３とは別駆動で前後方向に移動する構成であってもよいし、あるいは光学系２００の位置が固定されていてもよい。
また、ここでは、移動部１８３がモータ（不図示）からの駆動力を受けて移動することを説明したがこれに限定されない。例えば、光計測装置５０１を操作する計測者などが、手動により移動部１８３を移動させる構成であってもよい。
【００８２】
また、ここでは、作業台１９０などの上に固定された光計測装置５０１に可動押込部１８０を設けることを説明したが、これに限定されない。例えば、上述の図１などに示すような光計測装置１において、可動押込部１８０を設ける構成であってもよい。すなわち、本体５０Ａ（図１参照）に設けられた目頭押込部８０（図１）を、前後方向に移動させる構成としてもよい。
【００８３】
（変形例）
さて、上記の説明においては、目頭押込部８０が目頭周辺の皮膚２４Ａを押し込む（押圧する）ことを説明したが、これに限定されない。例えば目尻側の皮膚２４Ｅだけを押し込む態様、あるいは目頭周辺の皮膚２４Ａおよび目尻側の皮膚２４Ｅの両方を押し込む態様でもよい。なお、目尻周辺の皮膚２４Ｅを眼窩１７に押し込む場合は、目頭押込部８０同様の部材を受光系２３の先端に設ければよい。
【００８４】
また、上記の説明においては、目頭押込部８０が、単一の部材により構成されることを説明したが、これに限定されない。目頭押込部８０が複数の部材により構成する態様であってもよい。さらに説明をすると、例えば各々が目頭周辺の皮膚２４Ａに含まれる上眼瞼１８および下眼瞼１９を押圧する２つの部材により目頭押込部８０が構成されてもよい。
【００８５】
また、目頭押込部８０の形状は特に限定されない。さらに説明をすると、目頭周辺の皮膚２４Ａと接触し、眼球１０を横切る光が通過可能な程度の間隙が形成される状態を維持することができれば、球状の部材や、円弧状、板状の部材など、他の形状であってももちろんよい。
【００８６】
また、光計測装置１における目頭押込部８０が設けられる位置は、特に限定されない。さらに説明をすると、目頭押込部８０が目頭周辺の皮膚２４Ａを奥側（後側）に押し込むことができればよく、目頭押込部８０が、発光系保持部５０Ｄに保持される構成や、他の部材を介して第１ミラー２９に対して固定される構成であってもよい。
【００８７】
また、上記の説明においては、瞼抑え部７０が、複数の部材（上側瞼抑え部７１および下側瞼抑え部７２）により構成されることを説明したが、これに限定されない。例えば、瞼抑え部７０が、上側瞼抑え部７１および下側瞼抑え部７２のいずれか一方により構成されてもよい。あるいは、上側瞼抑え部７１および下側瞼抑え部７２が一体として形成される構成でもよい。
【００８８】
また、上側瞼抑え部７１および下側瞼抑え部７２は、上記と異なる形状であってもよい。さらに説明をすると、上眼瞼１８および下眼瞼１９（図３（ｂ）参照）の少なくともいずれかと接触し、上眼瞼１８および下眼瞼１９との間に光が通過可能な程度の間隙が形成される状態を維持することができれば、半球状の部材や、板状の部材など、他の形状であってももちろんよい。
また、上側瞼抑え部７１および下側瞼抑え部７２のいずれか一方を、図９で説明したような移動する構成にし、他方を固定とする構成であってもよい。例えば、上側瞼抑え部７１を可動とし、下側瞼抑え部７２を固定とする構成であってもよい。
【００８９】
また、瞼抑え部７０（上側瞼抑え部７１および下側瞼抑え部７２）は、被計測者の瞼を直接抑える構成として説明をしたが、被計測者の眼球１０の周辺の皮膚などに接触して、被計測者の瞼を開いた状態に維持する構成であれば、これに限定されない。
なお、眼球１０の周辺の皮膚とは、目頭押込部８０および瞼抑え部７０が接触することにより、上眼瞼１８および下眼瞼１９の少なくともいずれか一方の移動（開閉）が制限される範囲の領域をいう。
【００９０】
また、目頭押込部８０および瞼抑え部７０は、ケイ素樹脂（シリコーン）により形成されることを説明したが、これに限定されない。例えば、目頭押込部８０および瞼抑え部７０は、他の樹脂や、金属などにより構成されてもよい。また、目頭押込部８０および瞼抑え部７０は、塩ビなどにより形成される樹脂体にアクリル系粘着剤を塗布するなどして形成してもよい。さらに、目頭押込部８０および瞼抑え部７０の外周面に、例えば医療用粘着テープを設ける構成としてもよい。
なお、目頭押込部８０および瞼抑え部７０は、摩擦力が高く、かつ安全性の高い材料により形成されることが好ましい。
【００９１】
また、上記の説明においては、発光系２１を鼻側（目頭側）に配置し、受光系２３を耳側（目尻側）に配置することを説明したが、反対の構成、すなわち発光系２１を鼻側に配置し、受光系２３を耳側に配置する構成であってもよい。
また、光路２８は、図示の構成に限定されるものではなく、発光部２５から出射された光が前眼房１３を横切るように通過し、受光部３５で受光されるように設定されていればよい。また、光が前眼房１３を横切るように通過するとは、眼球１０を正面から見た場合において、上下方向よりも内外方向に近い角度（つまり、内外方向の水平軸に対して±４５°未満の範囲）で通過することをいい、前後方向に斜めに通過する場合も含む。
【００９２】
また、上記の説明においては、鼻側に配置される発光系２１が、耳側に配置される受光系２３よりも前側に突出することを説明したが、これに限定されない。例えば、発光系２１および受光系２３が前後方向において対応する位置（同一の位置）に配置される構成や、耳側に配置される受光系２３が、鼻側に配置される発光系２１よりも前側に突出する構成であってもよい。
【００９３】
また、上記の説明においては、眼房水に含まれる求めたい光学活性物質の濃度を算出する方法を説明したが、眼房水の他の特性を計測するように構成してもよい。
また、眼房水に関する特性のみならず、光路２８に存在する角膜等に関する特性を求めるために本実施の形態で説明した構成を応用してもよい。すなわち、眼球１０の外部から光を入射させ、角膜１４および前眼房１３内の眼房水に光を通過させ、通過させた光を受光する装置であれば、本実施の形態で説明した構成が適用できる。
また、本実施の説明では、左目の眼球１０で説明したが、光計測装置１を右目の眼球（不図示）に適用してももちろんよい。
【００９４】
また、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【００９５】
１…光計測装置、１０…眼球、１３…前眼房、２０…光学系、２１…発光系、２３…受光系、２９…第１ミラー、５０…保持部、７０…瞼抑え部、７１…上眼瞼抑え部、７２…下眼瞼抑え部、８０…目頭押込部
【要約】
【課題】被計測者の眼球の前眼房を横切るように光を出射し、前眼房を横切った光を受光する光計測において、目頭周辺または目尻周辺の皮膚を眼窩内に押し込むだけの構成と比較し、前記眼球の露出した領域が狭くなることを抑制する。
【解決手段】本発明の光計測装置１は、被計測者の眼球１０の前眼房を横切るように光を出射する第１ミラー２９と、第１ミラー２９から出射され前眼房を横切った光を受光する第２ミラー３１と、眼球１０の目頭周辺または目尻周辺の皮膚を眼球１０が収容された眼窩１７内に押し込んだ位置に、第１ミラー２９を位置決めする目頭押込部８０および発光系保持部５０Ｄと、この位置決めにともない眼球の露出した領域が狭くなることを抑制する瞼抑え部７０とを備える。
【選択図】図３【図１】
0005950008.tif 000002
【図２】
0005950008.tif 000003
【図３】
0005950008.tif 000004
【図４】
0005950008.tif 000005
【図５】
0005950008.tif 000006
【図６】
0005950008.tif 000007
【図７】
0005950008.tif 000008
【図８】
0005950008.tif 000009
【図９】
0005950008.tif 000010